(57)【要約】【課題】ラベル片の貼付作業の外に、貼付作業の品質管理を兼ね、貼付作業の正確性を確保することができるラベリングマシンを提供する。【解決手段】ラベルロール８０から剥離板３４までの帯状のラベル用紙８０Ａの移動経路上に、各ラベル片８１のバーコード８１１を感知するバーコード感知器５０と、各ラベル片８１の長さを感知するラベル感知器６０とが設けられ、コンベア２０の上流に、ラベル片８１がまだ貼り付けられていない被貼付物４１の到来及びその外形を感知する被貼付物感知器８０１が設けられ、コンベア２０の下流に、バーコード感知器５０、ラベル感知器６０及び被貼付物感知器８０１の感知信号に基づき、被貼付物４１のいずれかに、各ラベル片８１のバーコード８１１、長さ及び被貼付物４１の外形のいずれかの事項が違うと、作動して、その間違いを有する異常な被貼付物４１を排除する被貼付物排除装置９０が設けられている。【選択図】　図１
0003098543.tif 000002
【実用新案登録請求の範囲】
【請求項１】
剥離紙の表面に複数のバーコードを有するラベル片が並んで貼り付けられ、ロール状に巻かれたラベルロールから引き出されて剥離板へ移動している帯状のラベル用紙から、前記剥離板で前記ラベル片を一枚ずつ剥離し、コンベアの上流から搬送された複数の被貼付物に順次に貼り付けてから下流へ搬送するラベリングマシンであって、
前記ラベルロールから剥離板までの前記帯状のラベル用紙の移動経路上に、
前記各ラベル片のバーコードを感知するバーコード感知器と、
前記各ラベル片の長さを感知するラベル感知器とが設けられ、
前記コンベアの上流に、
ラベル片がまだ貼り付けられていない被貼付物の到来及びその外形を感知する被貼付物感知器が設けられ、
前記コンベアの下流に、
前記バーコード感知器、ラベル感知器及び被貼付物感知器の感知信号に基づき、ラベル片がすでに貼り付けられている被貼付物のいずれかに、前記各ラベル片のバーコード、長さ及び被貼付物の外形のいずれかの事項が違うと、作動して、その間違いを有する異常な被貼付物を排除する被貼付物排除装置が設けられていることを特徴とするラベリングマシン。
【請求項２】
前記ラベルロールから剥離板までの前記帯状のラベル用紙の移動経路上に、前記各ラベル片上の印字を感知する印字感知器が更に設けられており、
前記被貼付物排除装置は、前記印字感知器の感知信号にも基づき、前記各ラベル片上の印字が異常であると、異常な印字を有するラベル片が貼り付けられた被貼付物を排除するように機能することを特徴とする請求項１に記載のラベリングマシン。
【請求項３】
前記バーコード感知器、前記ラベル感知器、前記被貼付物感知器及び前記被貼付物排除装置と電気的に接続していて、感知によって得た各ラベル片のバーコード、長さ及び前記被貼付物の外形を、その内部に記憶したデータと比較して一致するか否かを判断し、もし一致しなければ、前記被貼付物排除装置を作動させ、ラベル片が貼り付けられた異常な被貼付物の排除を行う中央制御ユニットを更に備えていることを特徴とする請求項１または請求項２に記載のラベリングマシン。
【請求項４】
前記被貼付物排除装置は、前記中央制御ユニットからの信号に基づき、前記間違いを有する異常な被貼付物を計数によって特定する被貼付物計数器と、前記被貼付物計数器に特定された異常な被貼付物が手前に到達すると該異常な被貼付物をコンベアの搬送ラインから押出して排除する押出し手段とを備えていることを特徴とする請求項３に記載のラベリングマシン。
【請求項５】
前記被貼付物排除装置は、前記押出された被貼付物を受ける受け皿を更に有することを特徴とする請求項４に記載のラベリングマシン。
【請求項６】
前記帯状のラベル用紙の移動経路の前記印字感知器の上流に、前記各ラベル片上に印字する印字器が設けられていることを特徴とする請求項２に記載のラベリングマシン。
【考案の詳細な説明】
【０００１】
【考案の属する技術分野】
本考案は、ラベリングマシンに関し、特に剥離紙の表面に複数のラベル片が並んで貼り付けられている帯状のラベル用紙から、前記ラベル片を一枚ずつ剥離し、複数の被貼付物に順次に貼り付けるラベリングマシンに関する。
【０００２】
【従来の技術】
従来から、ラベル片をボトルなどの被貼付物に貼り付けるためのラベリングマシンがある。該ラベリングマシンの貼付作業は、剥離紙の表面に複数のラベル片が並んで貼り付けられてロール状に巻かれたラベルロールから引き出され、剥離板の傍を通って移動している帯状のラベル用紙から、前記剥離板で前記ラベル片を一枚ずつ剥離し、コンベアの上流から搬送された複数のボトルなどの被貼付物に順次に貼り付けてから下流へ搬送することにより行う。このラベル片の貼付により、ボトルなどの被貼付物にバーコードや期限、印字などの表示をすることができる。
【０００３】
【考案が解決しようとする課題】
このようなラベリングマシンは、ラベル片をボトルなどの被貼付物に貼り付ける機能を有するが、ラベル片またはボトルなどの被貼付物が間違った場合の措置または機構が、全く設けられていない。即ち、貼付作業の品質管理に対し、今までも、コストの高い手作業で行い、特に、バーコードに対し、肉眼で間違いの要否を判断することができないため、専用計器で逐一に計測しなければならないので、非常に面倒くさいという問題が存在している。
【０００４】
そこで、本考案では、ラベル片の貼付作業の外に、貼付作業の品質管理を兼ね、貼付作業の正確性を確保することができるラベリングマシンを提供することを課題とするものである。
【０００５】
【課題を解決するための手段】
前記課題を解決するため、本考案のラベリングマシンは、剥離紙の表面に複数のバーコードを有するラベル片が並んで貼り付けられ、ロール状に巻かれたラベルロールから引き出されて剥離板へ移動している帯状のラベル用紙から、前記剥離板で前記ラベル片を一枚ずつ剥離し、コンベアの上流から搬送された複数の被貼付物に順次に貼り付けてから下流へ搬送するラベリングマシンであって、前記ラベルロールから剥離板までの前記帯状のラベル用紙の移動経路上に、前記各ラベル片のバーコードを感知するバーコード感知器と、前記各ラベル片の長さを感知するラベル感知器とが設けられ、前記コンベアの上流に、ラベル片がまだ貼り付けられていない被貼付物の到来及びその外形を感知する被貼付物感知器が設けられ、前記コンベアの下流に、前記バーコード感知器、ラベル感知器及び被貼付物感知器の感知信号に基づき、ラベル片がすでに貼り付けられている被貼付物のいずれかに、前記各ラベル片のバーコード、長さ及び被貼付物の外形のいずれかの事項が違うと、作動して、その間違いを有する異常な被貼付物を排除する被貼付物排除装置が設けられている構成としている。
【０００６】
この構成によるラベリングマシンは、前記各ラベル片のバーコード、長さ及び前記被貼付物の外形のいずれかが違うと、その間違いを有する異常な被貼付物を自動的に排除するので、貼付作業の正確性を確保することができる。即ち、本考案のラベリングマシンは、ラベル片の被貼付物への貼付作業を行うことができるうえ、貼付作業の品質管理を兼ねることができる。また、自動化の方式で貼付作業の品質管理を行うので、従来の手作業よりコストを大幅に低減することができる。
【０００７】
前記ラベリングマシンでは、前記ラベルロールから剥離板までの前記帯状のラベル用紙の移動経路上に、前記各ラベル片上の印字を感知する印字感知器が更に設けられており、前記被貼付物排除装置は、前記印字感知器の感知信号にも基づき、前記各ラベル片上の印字が異常であると、異常な印字を有するラベル片が貼り付けられた被貼付物を排除するように機能することが好ましい。
【０００８】
また、前記バーコード感知器、前記ラベル感知器、前記被貼付物感知器及び前記被貼付物排除装置と電気的に接続していて、感知によって得た各ラベル片のバーコード、長さ及び前記被貼付物の外形を、その内部に記憶したデータと比較して一致するか否かを判断し、もし一致しなければ、前記被貼付物排除装置を作動させ、ラベル片が貼り付けられた異常な被貼付物の排除を行う中央制御ユニットを更に備えていることが好ましい。
【０００９】
この場合、前記被貼付物排除装置は、前記中央制御ユニットからの信号に基づき、前記間違いを有する異常な被貼付物を計数によって特定する被貼付物計数器と、前記被貼付物計数器に特定された異常な被貼付物が手前に到達すると該異常な被貼付物をコンベアの搬送ラインから押出して排除する押出し手段とを備えていることが好ましい。
【００１０】
また、前記被貼付物排除装置は、前記押出された被貼付物を受ける受け皿を更に有することが好ましい。
【００１１】
そして、前記帯状のラベル用紙の移動経路の前記印字感知器の上流に、前記各ラベル片上に印字する印字器が設けられていることが好ましい。
【００１２】
【考案の実施の形態】
以下、本考案のラベリングマシンの好ましい実施の形態を詳しく説明する。本考案のラベリングマシンは、図１及び図２に示すように、ラベルロール８０のラベル用紙８０Ａからラベル片８１を一枚ずつ剥離し、ボトルなどの被貼付物４１に順次に貼り付けるためのものである。もっと詳しく説明すると、１０は台座であり、２０は前記被貼付物４１を搬送するコンベアであり、２１は前記コンベア２０の運転を駆動する搬送モーターである。
【００１３】
８０は、剥離紙８２の表面に複数のバーコード８１１を有するラベル片８１が並んで貼り付けられ、ロール状に巻かれたラベルロールであり、８０Ａは、前記ラベルロール８０から引き出されている帯状のラベル用紙である。前記帯状のラベル用紙８０Ａは、サーボモーター３２に駆動されて回転している動力輪３３及び複数のローラー３３Ａにより、前記ラベルロール８０から剥離板３４の傍を通って移動している。また、前記帯状のラベル用紙８０Ａは、前記剥離板３４の傍を通過する際に、前記ラベル片８１が前記剥離板３４で一枚ずつ剥離され、前記コンベア２０の上流から搬送されたボトルなどの被貼付物４１に貼り付けられる。該ラベル片８１が既に貼り付けられているボトルなどの被貼付物４１は、前記コンベア２０により下流へ引き続いて搬送されている。また、前記全ての動作は、中央制御ユニット４０により制御されている。
【００１４】
以上の構成は従来のラベリングマシンと略同様である。以下、本考案の特徴について詳しく説明する。前記搬送モーター２１には、図１に示すように、コーダー２１１が付設されており、該コーダー２１１は、前記搬送モーター２１と同期回転しながら、搬送モーター２１の前記コンベア２０を被貼付物４１の横幅に相当する距離を移動させるための回転角度または回転数を前記中央制御ユニット４０へ送信するものである。前記サーボモーター３２には、前記搬送モーター２１と同様に、それと同期回転しているコーダー（図示せず）が付設されており、該コーダーは、前記サーボモーター３２と同期回転しながら、サーボモーター３２の前記帯状のラベル用紙８０Ａをラベル片８１の横幅に相当する距離を移動させるための回転角度または回転数を前記中央制御ユニット４０へ送信するものである。
【００１５】
そして、前記ラベルロール８０から前記剥離板３４までの前記帯状のラベル用紙８０Ａの移動経路上には、図２に示すように、順次、前記各ラベル片８１のバーコード８１１を感知するバーコード感知器５０と、前記各ラベル片８１上に印字する印字器７１と、前記各ラベル片８１の長さを感知するラベル感知器６０と、前記各ラベル片８１上の印字を感知する印字感知器７０とが設けられている。前記コンベア２０の上流には、図１に示すように、ラベル片８１がまだ貼り付けられていない被貼付物４１の到来及びその外形を感知する被貼付物感知器８０１が設けられている。前記コンベア２０の下流には、前記バーコード感知器５０、ラベル感知器６０、印字感知器７０及び被貼付物感知器８０１の感知信号に基づき、ラベル片８１がすでに貼り付けられている被貼付物４１のいずれかに、前記各ラベル片８１のバーコード８１１、長さ、印字８１２及び被貼付物４１の外形のいずれかの事項が違うと、作動して、その間違いを有する異常な被貼付物４１を排除する被貼付物排除装置９０が設けられている。前記中央制御ユニット４０は、前記一対のコーダー、前記バーコード感知器５０、前記ラベル感知器６０、前記印字感知器７０、前記被貼付物感知器８０１及び前記被貼付物排除装置９０と電気的に接続していて、前記被貼付物感知器８０１の感知信号に基づいて前記ラベル片８１の前記被貼付物４１への貼付けを制御する。また、前記各ラベル片８１のバーコード８１１、長さ、印字８１２及び前記被貼付物４１の外形のいずれかが違うと、前記被貼付物排除装置９０を作動させ、異常な被貼付物４１の排除を行うように機能する。
【００１６】
もっと詳しく説明すると、前記ラベル感知器６０は、前記ラベル片８１同士間の剥離紙８２の部分を感知する。前記中央制御ユニット４０は、前記ラベル感知器６０からの前記各ラベル片８１の前後の剥離紙８２の部分の一対の信号及び前記サーボモーター３２の前記コーダーの信号に基づいて、各ラベル片８１の長さを求めることができる。例えば、前記サーボモーター３２が回転毎に前記帯状のラベル用紙８０Ａを１０センチ移動させ、且つ、前記ラベル感知器６０が感知して送信した一対の信号間における前記サーボモーター３２の回転数が０．５であれば、該ラベル片８１の長さは、５センチである。
【００１７】
そして、前記被貼付物感知器８０１は、前記各被貼付物４１の前後縁を感知する。前記中央制御ユニット４０は、前記被貼付物感知器８０１からの前記各被貼付物４１の前後縁の一対の信号及び前記搬送モーター２１の前記コーダー２１１の信号に基づいて、各被貼付物４１の長さを求めることができる。例えば、前記搬送モーター２１が回転毎に前記コンベア２０を１０センチ移動させ、且つ、前記被貼付物感知器８０１が感知して送信した一対の信号間の前記搬送モーター２１の回転数が１であれば、該被貼付物９０の長さは、１０センチである。また、前記被貼付物排除装置９０は、前記中央制御ユニット４０からの信号に基づき、前記間違いを有する異常な被貼付物４１を計数によって特定する被貼付物計数器９１と、前記被貼付物計数器９１に特定された異常な被貼付物４１が手前に到達すると該異常な被貼付物４１をコンベアの搬送ラインから押出して排除する押出し手段９２と、前記押出された被貼付物４１を受ける左右一対の受け皿９３を備えている。
【００１８】
図３は、本考案のラベリングマシンにより品質管理を行う場合を示すフローチャートである。前記中央制御ユニット４０が前記バーコード感知器５０、前記ラベル感知器６０、前記印字感知器７０及び前記被貼付物感知器８０１からの信号を受信すると、それらの信号及び一対のコーダーの信号に基づいて各ラベル片８１の長さ及び各被貼付物４１の外形を求め、該ラベル片８１のバーコード８１１、長さ、印字８１２及び該被貼付物４１の外形をその内部に記憶したデータと比較して一致するか否かを判断する。そして、もし一致すれば、運転状態を保持し、もし一致しなければ、前記被貼付物排除装置９０を作動させ、ラベル片８１が貼り付けられた異常な被貼付物４１が前記押出し手段９２に到達する時、それを排除する。また、前記中央制御ユニット４０の内部に記憶した対比用データがなければ、該中央制御ユニット４０は１回目に感知したラベル片８１のバーコード８１１、長さ、印字８１２及び前記被貼付物４１の外形を記憶して対比用データとする。
【００１９】
なお、以上に説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【００２０】
【考案の効果】
以上のように、本考案のラベリングマシンは、前記各ラベル片のバーコード、長さ、印字及び前記被貼付物の外形のいずれかが違うと、その間違いを有する異常な被貼付物を自動的に排除するので、貼付作業の正確性を確保することができる。また、自動化の方式で貼付作業の品質管理を行うので、従来の手作業よりコストを大幅に低減することができる。
【図面の簡単な説明】
【図１】本考案のラベリングマシンの好ましい実施形態の斜視図
【図２】前記実施形態の要部拡大背面斜視図
【図３】本考案のラベリングマシンにより品質管理を行う場合を示すフローチャート
【符号の説明】
１０．．．台座
２０．．．コンベア
２１．．．搬送モーター
２１１．．．コーダー
３２．．．サーボモーター
３３．．．動力輪
３３Ａ．．．ローラー
３４．．．剥離板
４０．．．中央制御ユニット
４１．．．被貼付物
５０．．．バーコード感知器
６０．．．ラベル感知器
７０．．．印字感知器
７１．．．印字器
８０１．．．被貼付物感知器
８０．．．ラベルロール
８０Ａ．．．帯状のラベル用紙
８１．．．ラベル片
８１１．．．バーコード
８２．．．剥離紙
９０．．．被貼付物排除装置
９１．．．被貼付物計数器
９２．．．押出し手段
９３．．．受け皿
【図１】
0003098543.tif 000003
【図２】
0003098543.tif 000004
【図３】
0003098543.tif 000005